(57)【要約】【課題】ユーザの手間や時間をかけることなく、読み取り前にプレビュー動作を自動的に実行しユーザの利便性を向上し得る画像読取装置を提供する。【解決手段】原稿をセットするためのコンタクトガラスと、原稿を押え付ける圧板と、原稿を読み取るスキャナ１４と、スキャナ１４により生成された画像データを格納するメモリ１８と、スキャナ１４を制御する制御部１７と、制御部１７に指示を伝達する入力手段２０と、コンタクトガラス１２にセットされた原稿を圧板が押えるように閉じた状態を検知する圧板センサ２１とを備え、制御部１７は、圧板センサ２１の検知タイミングで前記スキャナに前記セットされた原稿のスキャンを行わせかつ該スキャナが生成した画像データに基いて前記表示部にプレビュー画像を表示させるプレビュー動作機能を備えている。【選択図】図３
2012253672.tif 000002
【特許請求の範囲】
【請求項１】
原稿をセットするためのコンタクトガラスと、
前記コンタクトガラスにセットされた原稿を押える圧板と、
前記コンタクトガラスの側にランプ、ＣＣＤ及びキャリッジ等を有してなり前記押えられた原稿を読取走査し読取画像データを生成するスキャナと、
外部から読取条件および読取実行を指示するための入力手段と、
読取画像を表示部する表示部と、
前記入力手段から読取条件の入力があると該読取条件に応じて前記スキャナを制御しかつ前記入力手段から読取実行の入力があると該スキャナを読取動作させ該スキャナが生成する前記読取画像データをメモリに一時格納し画像処理した画像データを前記表示部に入力して読取画像を表示させる制御部と、
前記圧板が前記コンタクトガラスにセットされた原稿を押える該圧板の閉状態を検知する圧板センサとを備え、
前記制御部は、前記圧板センサの検知タイミングで前記スキャナに前記セットされた原稿のスキャンを行わせかつ該スキャナが生成した画像データに基いて前記表示部にプレビュー画像を表示させるプレビュー動作機能を備えている、ことを特徴とする画像読取装置。
【請求項２】
前記制御部は、前記入力手段より指示された読取原稿サイズが自動プレビュー制限サイズとして初期設定された規定サイズを超えている場合は、該読取原稿サイズを前記規定サイズとして前記スキャンを行わせる、前記プレビュー動作機能を備えている、請求項１に記載の画像読取装置。
【請求項３】
前記制御部は、前記規定サイズを前記入力手段より指示された読み取りアプリ毎に切り替えて前記スキャンを行わせる、前記プレビュー動作機能を備えている、請求項２に記載の画像読取装置。
【請求項４】
前記制御部は、前記圧板が開いたタイミングで前記スキャナのキャリッジを前記入力手段より指示された読取原稿サイズの副走査後端位置へ移動し、該圧板が閉じたタイミングで該キャリッジを復帰移動させながら前記スキャンを行わせる、前記プレビュー動作機能を備えている、請求項２に記載の画像読取装置。
【請求項５】
前記制御部は、ＣＣＤ原稿サイズ検知手段を備え、前記圧板が開いたタイミングで前記キャリッジを前記原稿の副走査後端位置へ移動しながら前記ＣＣＤ原稿サイズ検知手段により原稿サイズ検知を実行し、該検知結果により原稿の主走査方向のサイズを決定し、前記キャリッジを復帰移動させながら前記スキャンを行わせる、前記プレビュー動作機能を備えている、請求項１ないし４のいずれかに記載の画像読取装置。
【請求項６】
前記制御部は、前記プレビュー画像表示後に、前記入力手段よりレイアウトに関する設定変更を指示する外部入力があった場合に、前記レイアウトに関する設定変更を反映したプレビュー画像を再度表示する、前記プレビュー動作機能を備えている、請求項１ないし５のいずれかに記載の画像読取装置。
【請求項７】
原稿をセットするためのコンタクトガラスと前記原稿を押え付ける圧板と前記原稿を読み取るスキャナとを含み画像データを生成するスキャナと、生成された前記画像データを格納するメモリと、前記スキャナを制御する制御部と、前記制御部に指示を伝達する入力手段と、前記圧板が前記コンタクトガラスにセットされた原稿を押える該圧板の閉状態を検知する圧板センサとを備え、前記制御部は、前記圧板センサの検知タイミングで前記スキャナに前記セットされた原稿のスキャンを行わせかつ該スキャナが生成した画像データに基いて前記表示部にプレビュー画像を表示させるプレビュー動作機能を備えている画像読取装置にあって、
前記圧板センサの検知タイミングで前記スキャナに前記セットされた原稿のスキャンを行わせかつ該スキャナが生成した画像データに基いて前記表示部にプレビュー画像を表示させるプレビュー動作機能を、前記制御部に実行させるプログラム。
【請求項８】
前プレビュー動作機能に、
前記プレビュー動作機能を実行する際に、読取原稿サイズが予め規定してあるプレビュー画像表示のための規定サイズを超えていた場合は読取原稿サイズを前記規定サイズとしてプレビュー動作を行う機能、
前記規定サイズをユーザが選択した読み取りアプリ毎に切り替える機能、
読取原稿サイズを最大読取原稿サイズとし、圧板が開いたタイミングでキャリッジを最大読取原稿サイズ位置へ移動し、圧板が閉じたタイミングで前記プレビュー動作を行う機能と、ＣＣＤ原稿サイズ検知手段を備え圧板が開いたタイミングでキャリッジを原稿の副走査後端位置へ移動しながら前記ＣＣＤ原稿サイズ検知を実行し、検知結果により原稿の主走査サイズを修正し、キャリッジを戻しながら前記プレビュー動作を行う機能、及び、
前記プレビュー画像表示後にユーザがレイアウトに関する設定を変更した場合に、プレビュー画像に変更内容を反映して再度プレビュー画像を表示する機能、
のいずれか少なくとも一つの機能を含むことを特徴とする請求項７に記載のプログラム。
【発明の詳細な説明】
【技術分野】
【０００１】
本発明は、プレビュー画像の表示を行う画像読取装置及びプログラムに関する。
【背景技術】
【０００２】
スキャナ、あるいは画像処理複合機には、原稿を読み取る場合に、解像度や一部画像処理を制限して簡易スキャンを行うプレビュー表示機能がある。従来の標準的なプレビュー表示機能は、ユーザがオペレーションパネルより印刷条件を設定した状態で、再度、ユーザがオペレーションパネルからの入力として、プレビュー画像の表示指示を受け付けるようになっている。そして、該入力を受け付けると印刷条件が反映されたプレビュー画像をオペレーションパネルの表示部に表示する。ユーザはプレビュー画像を確認することで、載置した原稿に問題がないことなどを確認してから原稿の読み取りを指示することができる。
【０００３】
従来、プレビューを実行してプレビュー画面を確認後に原稿の読み取りを行う場合、ユーザは３つのステップを実行する必要があった。
ステップ１．原稿をセットして圧板を閉じる。
ステップ２．オペレーションパネルよりプレビュー実行を指示し、プレビュー実行が完了した後にオペレーションパネルの表示部に表示されるプレビュー画面を確認する。
ステップ３．オペレーションパネルより読み取り実行を指示する。
【０００４】
このように、従来のプレビュー機能では、ユーザが明示的にプレビュー実行を指定するため、プレビューと読み取りで１枚の原稿に対して２回の指示が必要であり、手間や時間がかかっていた。特に、プロセッサの処理能力が低いスキャナ、あるいは画像処理複合機にあっては、プレビュー表示指示を受け付けてプレビュー画像を表示するまでユーザの待ち時間が長くなる。そのため、ユーザが通常の読み取り前にプレビューを実行することは少なく、複雑な設定を行った場合や重要な原稿を読み取る場合などに限ってプレビューを実行することが多かった。このように手間や時間の問題から、ユーザが原稿の読み取り時に毎回プレビューを実行することを行いがたいから、従来のプレビュー機能はユーザの利便性を高めることに繋がっていないという問題があった。
【０００５】
そこで、ユーザがプレビュー動作を指示してからプレビュー画像が表示されるまでの時間を短縮することを目的とした発明が最後尾に記す特許文献１に開示されている。この発明は、ユーザが印刷条件を指定した段階で、プレビュー画像の生成を開始し、印刷条件を案内する印刷直前画面を表示し、この印刷直前画面を表示した状態でプレビュー表示指示を受け付けてプレビュー画像を表示するものである。
【発明の概要】
【発明が解決しようとする課題】
【０００６】
しかし、特許文献１に開示された発明は、印刷直前画面を表示した状態でユーザが明示的にプレビュー実行を指定する必要があり、従って依然として、プレビューと読み取りで１枚の原稿に対して２回読み取り指示をすることになっており、前述した、手間や時間の問題からユーザの利便性が高められないという問題を解消できていない。
【０００７】
原稿を読み取る場合に、通常の読み取りであってもユーザが原稿を置き間違える、あるいは圧板を閉じた際に載置した原稿がずれてしまう等のミスがあるので、常にプレビューを実行した方が利便性は高い。
【０００８】
本発明は、上述した点に鑑み案出されたもので、ユーザが明示的にプレビュー動作の実行を指示しなくても、読み取り前にプレビュー動作を自動的に実行する画像読取装置及びそのプログラムを提供することを目的としている。
【課題を解決するための手段】
【０００９】
上記目的を達成するために、本発明の画像読取装置は、原稿をセットするためのコンタクトガラスと、前記コンタクトガラスにセットされた原稿を押える圧板と、前記コンタクトガラスの側にランプ、ＣＣＤ及びキャリッジ等を有してなり前記押えられた原稿を読取走査し読取画像データを生成するスキャナと、外部から読取条件および読取実行を指示するための入力手段と、読取画像を表示部する表示部と、前記入力手段から読取条件の入力があると該読取条件に応じて前記スキャナを制御しかつ前記入力手段から読取実行の入力があると該スキャナを読取動作させ該スキャナが生成する前記読取画像データをメモリに一時格納し画像処理した画像データを前記表示部に入力して読取画像を表示させる制御部と、前記圧板が前記コンタクトガラスにセットされた原稿を押える該圧板の閉状態を検知する圧板センサとを備え、前記制御部は、前記圧板センサの検知タイミングで前記スキャナに前記セットされた原稿のスキャンを行わせかつ該スキャナが生成した画像データに基いて前記表示部にプレビュー画像を表示させるプレビュー動作機能を備えている、ことを特徴とする。
【００１０】
また上記目的を達成するために、本発明のプログラムは、原稿をセットするためのコンタクトガラスと前記原稿を押え付ける圧板と前記原稿を読み取るスキャナとを含み画像データを生成するスキャナと、生成された前記画像データを格納するメモリと、前記スキャナを制御する制御部と、前記制御部に指示を伝達する入力手段と、前記圧板が前記コンタクトガラスにセットされた原稿を押える該圧板の閉状態を検知する圧板センサとを備え、前記制御部は、前記圧板センサの検知タイミングで前記スキャナに前記セットされた原稿Ｐのスキャンを行わせかつ該スキャナが生成した画像データに基いて前記表示部にプレビュー画像を表示させるプレビュー動作機能を備えている画像読取装置にあって、前記圧板センサの検知タイミングで前記スキャナに前記セットされた原稿のスキャンを行わせかつ該スキャナが生成した画像データに基いて前記表示部にプレビュー画像を表示させるプレビュー動作機能を、前記制御部に実行させる。
【発明の効果】
【００１１】
本発明によれば、ユーザが明示的にプレビュー動作の実行を指示しなくても、ユーザが読み取り対象の原稿をコンタクトガラス上にセットしてから圧板を閉じて読み取り開始を指示するまでの間にプレビュー動作を自動的に行うように構成したので、ユーザの手間や時間をかけることなく、読み取り前にプレビューが毎回自動的に実行されてユーザの利便性を向上することができる。
【図面の簡単な説明】
【００１２】
【図１】本発明の第１〜５の実施形態に共通する画像読取装置の斜視図である。
【図２】図１の画像読取装置の、原稿が図１の状態のときのプレビュー画面である。
【図３】図１の画像読取装置のハードウェアの概略構成図である。
【図４】図１の画像読取装置の制御部が備えている基本的なプレビュー動作機能のフロー図である。
【図５】第１の実施形態に係る画像読取装置の制御部が備えているプレビュー動作機能のフロー図である。
【図６】第２の実施形態に係る画像読取装置の制御部が備えているプレビュー動作機能のフロー図である。
【図７】第３の実施形態に係る画像読取装置の制御部が備えているプレビュー動作機能のフロー図である。
【図８】第４の実施形態に係る画像読取装置の制御部が備えているプレビュー動作機能のフロー図である。
【図９】第５の実施形態に係る画像読取装置の制御部が備えているプレビュー動作機能のフロー図である。
【発明を実施するための形態】
【００１３】
以下、本発明の画像読取装置に係る実施形態を図面を参照して説明する。
＜本発明の基本構成＞
まず、本発明の基本構成として、後述する第１〜５の実施形態に共通する構成を図１〜図４を参照して説明する。図１は、画像読取装置１００の斜視図であり、ケース本体１１の上面部に備える圧板１３が開かれ、コンタクトガラス１２の上に原稿Ｐがセットされた状態を示す斜視図である。図２は、図１の画像読取装置の、原稿が図１の状態のときのプレビュー画面を図示しており、該プレビュー画面は、圧板１３が閉じられた時点でコンタクトガラス１２の上にセットされた原稿Ｐに対しスキャンが自動的に行われ、該スキャンで生成された画像データを画像処理してオペレーションパネル１５の表示部１９に表示される。
【００１４】
図３は、図１の画像読取装置１００のハードウェアの概略構成図である。
図１及び図３に示すように、画像読取装置１００は、ケース本体１１の上面部に備えられ原稿を読取位置に位置決め載置（セット）するためのコンタクトガラス１２と、ケース本体（ケーシング）１１の上面部に被さり奥側端がヒンジでケース本体１１に連結され走査側（手前側）端より開きさらにコンタクトガラス１２の上にセットされた原稿Ｐを押えて閉じる圧板１３と、コンタクトガラス１２の下側でケース本体１１の内部に備えられた図示しないＣＣＤ、ランプ、キャリッジ等を含んでなるスキャナ１４と、オペレーションパネル１５と、読取画像の画像認識を行うための画像認識プログラムや原稿読み取り／中断方法を実現する制御プログラム等を格納していると共に、オペレーションパネル１５から入力する画像読取条件に対応した各種設定データを蓄積しているＲＯＭ１６と、ＣＰＵ、ＭＰＵ又はマイクロコンピュータのいずれかよりなりＲＯＭ１６に格納された画像認識プログラムや制御プログラムをリードしてプログラムに従い演算およびシステムの制御を行う制御部１７と、スキャナ１４が読み取った画像データを一次記憶し、また制御部１７の画像処理のための演算や制御において作業エリアとなり、また演算結果のデータ等を蓄積し、またオペレーションパネル１５から入力する画像読取条件に対応した各種設定データを一時蓄積しておくと共にメモリ（ＲＡＭ）１８と、を備えている。
【００１５】
オペレーションパネル１５は、読み取り条件等の入力部（＝入力手段；図示しない）と、画像データを入力して読取画像を表示する表示部１９とを併有する。ユーザやサービスマンは、画像読み取りに際し、画像読取条件の指示及び画像読み取りの指示をオペレーションパネル１５の条件等入力部より入力し得る。
【００１６】
上記スキャナ１４は、図示しないキャリッジにコンタクトガラス１２の奥行方向（主走査方向の寸法）の長さに対応する長さを有するＣＣＤ及びランプが支持され、キャリッジがコンタクトガラス１２の上にセットされた原稿Ｐのサイズに合わせて副走査方向に往復動すると共に、ランプがＣＣＤによる原稿の読取位置を照射し、該ＣＣＤが、原稿のサイズに対応する部分で原稿の反射光を受光し電子化し読取画像データを生成し、該読取画像データを制御部１７に送信する。制御部１７は、読取画像データを画像処理してオペレーションパネル１５の表示部１９に画像表示する。
【００１７】
制御部１７は、電源スイッチの投入があった時点で、ＲＯＭ１６に格納されている画像認識プログラムと原稿読み取り／中断方法を実現する制御プログラム等を読み込み、自身の内部に、従来と同一機能として、原稿読み取り画像表示機能と画像認識機能とを形成すると共に、本発明に特有のプレビュー動作機能とを形成する。
【００１８】
原稿読み取り画像表示機能は、入力手段２０から読取条件の入力があり、さらに入力手段２０から読取実行の入力があると、読取条件に応じてスキャナ１４を構成しているキャリッジの移動を制御すると共に、読取条件として入力された原稿サイズに対応したＣＣＤの読取長を決定して該スキャナ１４による読取動作を行わせる機能である。
【００１９】
画像認識機能は、該スキャナ１４が生成する読取画像データをメモリ１８に一時格納し随時に読み出して画像処理して画像データを生成し該画像データを表示部１９に入力してプレビュー画像を表示させる機能である。
【００２０】
本発明の画像読取装置１００は、ユーザが明示的にプレビュー動作の実行を指示しなくても、制御部１７がプレビュー動作機能を実行するために、圧板１３がコンタクトガラス１２の上にセットされた原稿Ｐを押えて閉じたタイミングで圧板１３の閉状態を検知する圧板センサ２１を備えている。なお、原稿Ｐをセットしないで圧板１３の閉状態を圧板センサ２１が検知しても圧板センサ２１の検知信号がキャンセルとされる。これは、従来の画像読取装置においても備えられているコンタクトガラス１２の下側の図示しない原稿センサの信号の入力と連関させることで達成される。
【００２１】
プレビュー動作機能は、圧板１３がコンタクトガラス１２の上にセットされた原稿Ｐを押えて閉じたタイミングで、圧板１３の閉じた状態を圧板センサが検知し、この検知信号を制御部１７が入力することにより、制御部１７が、スキャナ１４にコンタクトガラス１２の上にセットされた原稿Ｐに対し簡易スキャンを行わせかつこの際に該スキャナ１４が生成した読取画像データをメモリ１８に一時格納し画像処理した画像データを表示部１９に入力してプレビュー画像を表示させる機能である。なお、プレビュー動作機能は、簡易スキャンに限定されるものではない。
【００２２】
図４は、図１の画像読取装置１００の制御部１７が備えている基本的なプレビュー動作機能のフローを示す図である。
（ステップＳ１−１）ユーザが圧板１３を開き、コンタクトガラス１２の上に原稿Ｐをセットし、圧板１３を閉じると、圧板センサ２１が、圧板１３が閉じられたことを検知する。
（ステップＳ１−２）制御部１７が、圧板センサ２１の検知信号を入力して、圧板１３が閉じられたことを検知し、スキャナ１４に対し圧板１３が閉じられたタイミングでプレビュー動作（＝低解像度としかつ画像処理を一部制限した簡易スキャンとプレビュー画像の表示）を行わせる。
（ステップＳ１−３）プレビュー動作を監視し、該動作が終了した場合はステップＳ１−４へ、終了しない場合はステップＳ１−３へそれぞれ遷移する。
（ステップＳ１−４）ユーザが原稿の読み取り開始をオペレーションパネル１５より指示する。
（ステップＳ１−５）原稿Ｐに対する簡易な読み取り動作をスキャナ１４に行わせる。
【００２３】
ステップＳ１−２、Ｓ１−３に要する時間は、従来においては、ユーザが圧板１３を閉じて（ステップＳ１−１）からオペレーションパネル１５において明示的に原稿読み取りの実行（ステップＳ１−４）に移るまでに要する数秒程度の、ユーザの待ち時間となるので、この実施形態では、この待ち時間を制御部の能力、スキャナの読み取り能力により、簡素なプレビューが極めて短時間に実行できるものとして、時間内に処理を終えるように対応させているものとする。
なお、この待ち時間は、スキャナ１４の読み取り速度やプレビュー時の読み取り解像度などに依存するので、機器の制約からこの待ち時間が無視できない長さとなることが回避できない画像読取装置については、本発明が適用されないものとする。
【００２４】
上述したように、制御部１７は、図４に示す動作フローを実行するので、圧板１３が原稿を押圧して閉じられたことを自動的に検知し、原稿の読み取り動作前に毎回プレビューを迅速に実行することができ、しかも、待ち時間をユーザがオペレーションパネル１５より明示的にプレビュー動作機能を実行する手間や時間をかけることなく、ユーザの利便性を向上することができる。
【００２５】
このように、実施形態に係る画像読取装置は、制御部１７が備えているプレビュー動作機能制御部１７は、コンタクトガラス１２上に原稿Ｐをセットし、圧板１３を閉じてから原稿Ｐを読み取る操作に際して、ユーザが明示的にプレビュー動作機能を実行することなく、ユーザが圧板１３を閉じてから読み取り開始を指示するまでの極めて短時間に自動的にプレビュー動作機能を実行しオペレーションパネル１５の表示部１９にプレビュー画面を表示することに特徴がある。
【００２６】
本発明の実施形態に係る画像読取装置によれば、ユーザが明示的にプレビュー動作の実行を指示しなくても、読み取り対象の原稿がコンタクトガラス上にセットされてからユーザが読み取り開始を指示するまでの間にプレビュー動作を自動的に行うように構成したので、ユーザの手間や時間をかけることなく、読み取り前にプレビューが毎回実行されてユーザの利便性を向上することができる。
【００２７】
以下に説明する第１〜５の実施形態に係る画像読取装置は、各制御部１７が備えているプレビュー動作機能に相違がある。すなわち、プレビュー動作機能を実現するための各制御プログラムの相違は、各制御部１７のプレビュー動作機能の相違となり、各プレビュー画面表示の相違として顕れる。第１〜５の実施形態に係る画像読取装置は、各制御部１７が、図４のフローで示すプレビュー動作機能を基本とし、さらに付加されたステップに対応した高機能を有するプレビュー動作機能を行う。
【００２８】
＜第１の実施形態＞
第１の実施形態に係る画像読取装置は、表示部１９に表示されるプレビュー画像サイズが制限されたプレビュー動作機能を備えている。すなわち、この実施形態の制御部１７は、ＲＯＭ１６からプログラムをリードすると、表示部１９に表示されるプレビュー画像サイズとして、機器の性能に応じて初期設定された所定の原稿サイズである自動プレビュー制限サイズ（規定サイズ：図２参照）２０を認識するようになっている。
【００２９】
図２に示す読取原稿サイズと自動プレビュー制限サイズ（規定サイズ）との関係、さらにプレビュー動作と、プレビュー画像表示との関係を説明する。
読取原稿サイズは、圧板１３が閉じられたタイミングで図示しない原稿サイズ検知手段によりコンタクトガラス１２にセットされた原稿Ｐのサイズが読み取られる。制御部１７は、読取原稿サイズが自動プレビュー制限サイズ以下であるときは、キャリッジの移動ストローク及びＣＣＤの読取範囲を読取原稿サイズに対応させてプレビュー読み取り範囲を制限した簡易スキャンをスキャナ１４に行わせ、画像処理して表示部１９に読取原稿サイズに対応させたプレビュー画像表示を行う、プレビュー動作機能を備え、更に、読取原稿サイズが自動プレビュー制限サイズを超えている場合は、自動プレビュー制限サイズに対応させてプレビュー読み取り範囲を制限した簡易スキャンをスキャナ１４に行わせ、画像処理して表示部１９に自動プレビュー制限サイズに対応させたプレビュー画像表示を行う、プレビュー動作機能を備えている。ユーザは入力手段２０より読取原稿サイズの指示を行わないで良いので、ユーザの手間を要しない。
【００３０】
図５は、第１の実施形態に係る画像読取装置１００の制御部１７が実行する動作フローを示す図である。図５に示す動作フローを図４に示す動作フローと比較した場合、ステップＳ２−２〜Ｓ２−４が付加されている。
（ステップＳ２−１）ユーザは入力手段２０より圧板１３を開き、コンタクトガラス１２の上に原稿Ｐをセットし、圧板１３を閉じて原稿Ｐを押圧する。すると、圧板センサ２１が、圧板１３が閉じられたことを検知する。圧板センサ２１の検知信号が制御部１７に入力し、これにより、圧板１３が閉じられたことを制御部１７が検知する。
（ステップＳ２−２）システム（制御部）が読取原稿サイズと自動プレビュー制限サイズを比較し、制限サイズ以下である場合はステップＳ２−３へ、入力手段２０より指示された読取原稿サイズが前記規定サイズを超えている場合は、ステップＳ２−４へ遷移する。
（ステップＳ２−３）システムが読取原稿サイズに基づいたプレビュー動作を行う。
（ステップＳ２−４）システムが自動プレビュー制限サイズに基づいたプレビュー動作を行う。
ステップＳ２−３とステップＳ２−４のいずれも、制御部１７が、プログラムに従いスキャナ１４に対し圧板１３が閉じられたタイミングでプレビュー動作を行わせる。
（ステップＳ２−５）プレビュー動作を監視し、プレビュー動作が終了した場合はステップＳ２−６へ、終了しない場合はステップＳ２−７へ遷移する。
（ステップＳ２−６）ユーザが原稿の読み取り開始をオペレーションパネル１５より指示する。
（ステップＳ２−７）原稿Ｐに対する読み取り動作をスキャナ１４に行わせる。
【００３１】
この実施形態では、プレビュー読み取り範囲を制限することでプレビュー動作時間を短縮することができるから、プレビュー動作を自動的に行うとユーザに待ち時間が発生してしまう機器に適用しても、ユーザの手間や待ち時間を発生させずに、ユーザの利便性を向上することができる。
【００３２】
なお、この実施形態では、システムが読取原稿サイズと自動プレビュー制限サイズを比較し、制限サイズ以下である場合は、システムが読取原稿サイズに基づいたプレビュー動作を行い、読取原稿サイズが規定サイズを超えている場合は、システムが自動プレビュー制限サイズに基づいたプレビュー動作を行うので、自動プレビュー制限サイズを越える原稿はプレビュー表示で全体を表示することができない。一般的にスキャナアプリではコピーアプリより読み取り範囲や細かな画質を調整する場合が多く、プレビュー表示による待ち時間が増えても正確なプレビュー結果を期待される場合が考えられる。
そこで、第２の実施形態では、アプリによって自動プレビュー制限サイズを切り替えることで、自動プレビュー制限サイズを越える原稿はプレビュー表示で全体を表示することができるようにしている。
【００３３】
＜第２の実施形態＞
第２の実施形態に係る画像読取装置は、表示部１９に表示される自動プレビュー制限を変更しうる機能が付加されたプレビュー動作機能を備えている。すなわち、制御部１７は、プレビュー読み取り範囲を制限する動作機能（第１の実施形態の動作機能）に、さらに、自動プレビュー制限サイズを変更し得る動作機能が付加された、プレビュー動作機能を備えている。
すなわち、制御部１７は、付加された動作機能として、規定サイズ（自動プレビュー制限サイズ）を入力手段２０より指示された読み取りアプリ毎に切り替えて前記簡易スキャンを行わせる、プレビュー動作機能を備えている。
【００３４】
この実施形態は、画像読取装置が、プリンタ、コピー、ファクシミリ、又はスキャナとして動作させる複合機である場合に、ＲＯＭ１６から読み出されたコピーアプリケーションプログラム（「コピーアプリ」と略称する）、プリンタアプリケーションプログラム（「プリンタアプリ」と略称する）、スキャナアプリケーションプログラム（「スキャナアプリ」と略称する）、ＦＡＸアプリケーションプログラム（「ＦＡＸアプリ」と略称する）の中の、スキャナとして動作していることを認識して動作する。
【００３５】
図６は、第２の実施形態の画像読取装置１００に係り、制御部１７がアプリで自動プレビュー制限サイズを変更する動作フローを示す図である。
（ステップＳ３−１）ユーザが、圧板を開けて原稿をセットする前にオペレーションパネル１５より読み取りアプリを設定する。
（ステップＳ３−２）システム（制御部）が読み取りアプリの種類を判定し、スキャナアプリの場合はステップＳ３−３へ、スキャナアプリ以外（コピーアプリ）の場合はステップＳ３−４へ遷移する。
（ステップＳ３−３）システムが自動プレビュー制限サイズをスキャナ用の値に設定する。
（ステップＳ３−４）システムが自動プレビュー制限サイズをコピー用の値に設定する。
この実施形態により、アプリによって自動プレビュー制限サイズを切り替えることで、速度を重視したプレビューを行う場合と読み取り結果を重視したプレビューを行う場合を切り分けることでき、ユーザの利便性を高めることができる。
【００３６】
＜第３の実施形態＞
第３の実施形態に係る画像読取装置は、自動プレビュー制限サイズを最大読取原稿サイズに変更し得るプレビュー動作機能を備えている。すなわち、制御部１７は、ユーザが圧板１３が開くタイミングでスキャナ１４のランプが一瞬光り、その反射光をＣＣＤが受光することでコンタクトガラスにセットされた原稿のサイズを取得し、該原稿サイズが最大読取原稿サイズであるときには、圧板１３が開いたタイミングでスキャナ１４のキャリッジを最大読取原稿サイズの副走査後端位置へ移動し、該圧板１３が閉じたタイミングで該キャリッジを復帰移動させながら簡易スキャンを行わせる、プレビュー動作機能を備えている。
【００３７】
図７は、図６に示す動作フローの中のステップＳ３−２に出てくる「自動プレビュー制限サイズ」を変更する動作フローを示す図である。
（ステップＳ４−１）ユーザが圧板１３を開き、原稿をセットし、圧板１３を閉じる。コンタクトガラスにセットされた原稿のサイズが最大読取原稿サイズであることをシステムが認識する。
（ステップＳ４−２）システム（制御部）がキャリッジを最大読取原稿サイズ位置へ移動する。最大読取原稿サイズ位置とは、読み取り可能な最大原稿サイズを読み取るためにホームポジションから移動する位置を表す。
（ステップＳ４−３）ユーザが圧板１３を閉じる。圧板１３を閉じられたことを圧板センサ２１が検知しシステムが認識する。
（ステップＳ４−４）システムがスキャナ１４のキャリッジを復帰移動させる制御を行いながら、スキャナ１４のＣＣＤに最大読取原稿サイズに対応した簡易スキャンを行わせ、最大読取原稿サイズに対応したプレビュー画面表示を行う。
（ステップＳ４−５）ユーザが本スキャンのための原稿の読み取り開始を指示する。
（ステップＳ４−６）システムが原稿の読み取り動作（本スキャン）を行う。
【００３８】
この実施形態は、圧板１３を開けたときに最大読取原稿サイズ位置へキャリッジを移動し、圧板１３を閉じたタイミングでキャリッジを復動させ簡易スキャンを行わせるので、特に原稿サイズが大きい場合のプレビュー動作に必要な時間を低減することができる。
なお、第１の実施形態のプレビュー動作では、読取原稿サイズが規定サイズを超えている場合は、規定サイズを適用してプレビュー動作を行うことにしている。よって、第１の実施形態のプレビュー動作と第３の実施形態のプレビュー動作とを共に併存させて適用する場合には、第１の実施形態のプレビュー動作における、読取原稿サイズが規定サイズを超えているケースにおいては、最大読取原稿サイズを含まないようにする。
【００３９】
＜第４の実施形態＞
第４の実施形態に係る画像読取装置は、自動プレビュー制限サイズを最大読取原稿サイズに変更し得るプレビュー動作機能を備えている。すなわち、制御部１７は、圧板１３が開いたタイミングでスキャナ１４のキャリッジを原稿の副走査後端位置へ移動しながらキャリッジに支持されたＣＣＤ原稿サイズ検知手段により原稿サイズ検知を実行し、該検知結果により原稿の主走査方向のサイズを決定し、キャリッジを復帰移動させながら簡易スキャンを行わせる、プレビュー動作機能を備えている。
従来では、圧板を開いた場合にキャリッジを規定位置まで移動し、圧板を閉じる際にキャリッジに支持されたＣＣＤ原稿検知手段で原稿の一部を読み込み原稿の主走査方向のサイズを決定している。
また原稿の主走査幅を検知するためにキャリッジを復動させる時点では、既に原稿の副走査幅は判明している。
この実施形態によれば、従来技術に対し以下の変更を加えたものである。
（１）圧板を開いたときのキャリッジのホームポジションからの移動位置を前記規定位置ではなく、原稿の副走査方向後端位置に変更した。
（２）ＣＣＤ原稿サイズ検知手段による原稿の主走査方向の長さの検知を、従来では圧板を閉じてキャリッジを復動する際に行っていたのを、圧板を開いたときにキャリッジを原稿の副走査方向後端位置に移動する際に行うことに変更した。
この実施形態によれば、キャリッジをホームポジションに戻す際にプレビュー動作を行うことができるため、個別に２つの動作を行うよりも合計時間は短くなる。
【００４０】
図８は、第４の実施形態に係る画像読取装置１００の制御部１７が実行する動作フローを示す図である。
ステップＳ５−１で、ユーザが圧板を開き、原稿をセットして圧板を閉じる。
ステップＳ５−２で、システムがその時点の読取原稿サイズに基づいてキャリッジを原稿サイズ後端位置へ移動しながら、原稿の主走査幅を検知する。
ステップＳ５−３で、システムが原稿の主走査幅を確定し、読取原稿サイズを修正する。
ステップＳ５−４で、システムがキャリッジをホームポジションに戻しながらプレビュー動作を行う。
ステップＳ５−６で、ユーザが原稿の読み取り開始を指示する。
ステップＳ５−７で、システムが原稿の読み取り動作を行う。
【００４１】
この実施形態により、ＣＣＤ原稿検知機能を持つ機器に本発明を適用する場合に、プレビュー動作終了までにかかる時間を低減することができる。
【００４２】
＜第５の実施形態＞
第５の実施形態に係る画像読取装置は、第１〜４の実施形態において説明したプレビュー動作の中のいずれかのプレビュー動作を行いプレビュー画像を表示する。そして、該プレビュー画像表示後に、入力手段２０よりレイアウトに関する設定変更を指示する外部入力があった場合に、再度のスキャンを行わないでレイアウトに関する設定変更を反映した新たなプレビュー画像を再度表示する、プレビュー動作機能を制御部１７を備えている。
【００４３】
読取画像に関する全ての設定をプレビュー画像に反映する場合、処理内容によっては反映に時間がかかることが考えられる（フィルタ処理など）。しかし本発明の目的を考えると、ユーザの待ち時間を発生させてまで全ての設定を反映する必要はない。従って、ここではレイアウトに関する設定のみ反映対象としている。
【００４４】
図９は、第５の実施形態に係る画像読取装置１００の制御部１７が実行する動作フローを示す図である。
（ステップＳ６−１）で、ユーザが圧板１３を開き、原稿Ｐをセットして圧板１３を閉じる。
（ステップＳ６−２）システム（制御部）が圧板センサ２１の検知信号を入力して圧板１３が閉じられたことを検知し、ＣＣＤ原稿検知手段が検知した読取原稿サイズに基づいたプレビュー動作を行う。
（ステップＳ６−３）プレビュー動作を監視し、プレビュー動作が終了した場合（ＹＥＳの判断）はステップＳ６−４へ、終了しない場合（ＮＯの判断）はステップＳ６−３へ遷移する。
（ステップＳ６−４）入力手段２０よりレイアウトに関する設定変更を指示する外部入力があるかを監視し、ユーザがレイアウトに関する設定を変更した場合（ＹＥＳの判断）はステップＳ６−５へ遷移する。
（ステップＳ６−５）システムが再度のスキャンを行わないでレイアウトの設定変更を反映した新たなプレビュー画像を再度表示する。
（ステップＳ６−６）ユーザが、ステップＳ６−４でレイアウトに関する変更しないで（ＮＯの判断）、入力手段２０より原稿の読み取り開始を指示すると、
（ステップＳ６−７）システムが原稿の読み取り動作（本スキャン）を行う。
【００４５】
この実施形態によれば、プレビュー動作を行いプレビュー画像を表示し、その後にユーザが入力手段２０よりレイアウトに関する設定を変更した場合に、プレビュー画像に変更内容を反映して再度プレビュー画像を表示する機能が、プレビュー動作機能に含まれているから、プレビュー画像が表示された後でユーザがレイアウトに関する設定を変更した場合に、変更内容がプレビュー画像に反映され、ユーザの意図しない画像が出力されることを防止できる。例えば、プレビュー動作が実行された後で読み取り設定（読み取り範囲や集約設定など）が行われた場合に、プレビュー画像が更新されないため実際の出力結果と異なってしまうことを防止できる。
【００４６】
＜その他の実施形態＞
本発明は、上記の実施形態に限定されるものでなく、特許請求の範囲の技術的範囲には、発明の要旨を逸脱しない範囲内で種々、設計変更した形態が含まれる。
【００４７】
上記の実施形態におけるプレビュー動作は、解像度や読み取り範囲を制限した簡易的なプレビューである場合に限定されるものでなく、本スキャンと同じ解像度で、また読み取り範囲を制限しないで行う動作であっても良い。ユーザが図４に示すフローのステップＳ１−３からステップＳ１−４に遷移するまでの時間が短くて済み、ユーザがステップＳ１−４の実行を行うことを待たされてしまうことがなければ、プレビュー動作における解像度等を本スキャンと同じにするのが好ましい。解像度を低下させた簡易的なプレビューは、例えばレイアウトや原稿のずれを確認するためにプレビュー画像を再度表示のときに適用すると、メリットが大きい。
【００４８】
本願発明は、上述した実施形態の記述において、以下に付記として列挙する発明を含んでいる。
［付記１］制御部１７が、所定の原稿サイズが自動プレビュー制限サイズである規定サイズとして初期設定され、入力手段２０より指示された読取原稿サイズが規定サイズを超えている場合は、該読取原稿サイズを規定サイズとしてスキャンを行わせる、プレビュー動作機能を備えていること。
【００４９】
［付記２］制御部１７が、規定サイズを入力手段２０より指示された読み取りアプリ毎に切り替えてスキャンを行わせる、プレビュー動作機能を備えていること。
【００５０】
［付記３］制御部１７が、入力手段２０より指示された読取原稿サイズを最大読取原稿サイズとし、圧板が開いたタイミングでスキャナ１４のキャリッジを最大読取原稿サイズの副走査後端位置へ移動し、該圧板が閉じたタイミングで該キャリッジを復帰移動させながらスキャンを行わせる、プレビュー動作機能を備えていること。
【００５１】
［付記４］制御部１７が、ＣＣＤ原稿サイズ検知手段を備え、圧板が開いたタイミングでキャリッジを原稿の副走査後端位置へ移動しながらＣＣＤ原稿サイズ検知手段により原稿サイズ検知を実行し、該検知結果により原稿の主走査方向のサイズを決定し、キャリッジを復帰移動させながらスキャンを行わせる、プレビュー動作機能を備えていること。
【００５２】
［付記５］制御部１７が、プレビュー画像表示後に、入力手段２０よりレイアウトに関する設定変更を指示する外部入力があった場合に、レイアウトに関する設定変更を反映したプレビュー画像を再度表示する、プレビュー動作機能を備えていること。
【００５３】
［付記６］原稿Ｐをセットするためのコンタクトガラス１２と原稿Ｐを押え付ける圧板１３と原稿Ｐを読み取るスキャナ１４とを含み画像データを生成するスキャナ１４と、生成された画像データを格納するメモリ１８と、スキャナ１４を制御する制御部１７と、制御部１７に指示を伝達する入力手段２０と、圧板１３がコンタクトガラス１２にセットされた原稿Ｐを押える該圧板１３の閉状態を検知する圧板センサ２１とを備え、制御部１７は、圧板センサ２１の検知タイミングでスキャナにセットされた原稿Ｐのスキャンを行わせかつ該スキャナが生成した画像データに基いて表示部にプレビュー画像を表示させるプレビュー動作機能を備えている画像読取装置にあって、圧板センサ２１の検知タイミングでスキャナにセットされた原稿Ｐのスキャンを行わせかつ該スキャナが生成した画像データに基いて表示部にプレビュー画像を表示させるプレビュー動作機能を、制御部に実行させるプログラム。
【００５４】
［付記７］付記６のプレビュー動作機能に、プレビュー動作機能を実行する際に、読取原稿サイズが予め規定してあるプレビュー画像表示のための規定サイズを超えていた場合は読取原稿サイズを規定サイズとしてプレビュー動作を行う機能、規定サイズをユーザが選択した読み取りアプリ毎に切り替える機能、読取原稿サイズを最大読取原稿サイズとし、圧板が開いたタイミングでキャリッジを最大読取原稿サイズ位置へ移動し、圧板が閉じたタイミングでプレビュー動作を行う機能と、ＣＣＤ原稿サイズ検知手段を備え圧板が開いたタイミングでキャリッジを原稿の副走査後端位置へ移動しながらＣＣＤ原稿サイズ検知を実行し、検知結果により原稿の主走査サイズを修正し、キャリッジを戻しながらプレビュー動作を行う機能、及び、プレビュー画像表示後にユーザがレイアウトに関する設定を変更した場合に、プレビュー画像に変更内容を反映して再度プレビュー画像を表示する機能、
のいずれか少なくとも一つの機能を含むこと。
【符号の説明】
【００５５】
Ｐ    原稿
１２    コンタクトガラス
１３    圧板
１４    スキャナ
１７    制御部
１９    表示部
２０    入力手段
２１    圧板センサ
【先行技術文献】
【特許文献】
【００５６】
【特許文献１】特開２００６−２６４０１２号公報
【図１】
2012253672.tif 000003
【図２】
2012253672.tif 000004
【図３】
2012253672.tif 000005
【図４】
2012253672.tif 000006
【図５】
2012253672.tif 000007
【図６】
2012253672.tif 000008
【図７】
2012253672.tif 000009
【図８】
2012253672.tif 000010
【図９】
2012253672.tif 000011